(57)【要約】【課題】  ＤＶＤ系の記録型光ディスクに対してランニングＯＰＣの目標値をＯＰＣ記録時に確実に取得することができる光ディスク記録装置を提供する。【解決手段】  光ディスク記録装置１は、ＯＰＣ記録時に、記録パワーを切り替えるために出力するＯＰＣ記録パワー切り替えタイミング信号を、レーザパワー制御回路２０だけでなくＳＹＮＣパターン選択部３４にも出力する。ＳＹＮＣパターン選択部３４は、この信号を検出するとＳＹＮＣコード生成部３２から１４Ｔマーク−４ＴスペースパターンのＳＹＮＣコードがＤＣＣ部３５に出力されるように切り替えスイッチ３３を切り替える。これにより、少なくとも１つの１４Ｔマークを含むテストデータを光ディスクに記録するので、最適記録パワーを設定する際にテストデータを再生すると、どの記録パワーにおいても最長マークが少なくとも１つは含まれており、ランニングＯＰＣの目標値を確実に設定できる。【選択図】  図２
2005141854.tif 000002
【特許請求の範囲】
【請求項１】
ＯＰＣ記録時に、マークパターン長及びスペースパターン長を離散的にランダムに変化させたランダムパターンに所定の間隔で同期パターンを挿入したテストデータを、記録パワーを複数段階に切り替えて光ディスクに記録する光ディスク記録装置において、
記録パワーを切り替える毎に、前記テストデータに挿入する同期パターンの少なくとも１つを、最長マークパターンを含む同期パターンに設定する同期パターン設定手段を備えたことを特徴とする光ディスク記録装置。
【請求項２】
ＯＰＣ記録時に、所定のタイミングでパワー切り替え信号を出力する制御手段と、
前記パワー切り替え信号を検出すると、最長マークパターンを含む同期パターンを少なくとも１つ出力する同期パターン設定手段と、
マークパターン長及びスペースパターン長を離散的にランダムに変化させたランダムパターンに、前記同期パターン出力手段が出力した同期パターンを所定の間隔で挿入したテストデータを出力するデータ出力手段と、
記録パワーを複数段階に切り替えて前記テストデータを光ディスクに記録する記録手段と、
を備えた光ディスク記録装置。
【請求項３】
ＯＰＣ記録時に、マークパターン長及びスペースパターン長を離散的にランダムに変化させたランダムパターンに所定の間隔で同期パターンを挿入したテストデータを光ディスクに記録する光ディスク記録方法において、
記録パワーを切り替える毎に、少なくとも１つの最長マークパターンを含むテストデータを光ディスクに記録することを特徴とする光ディスク記録方法。
【発明の詳細な説明】
【技術分野】
【０００１】
本発明は、ランニングＯＰＣの目標値をＯＰＣ記録時に取得する光ディスク記録装置に関する。
【背景技術】
【０００２】
光ディスク記録装置は、記録型光ディスクに対してＯＰＣを行う際には、記録パワーを階段状に切り替えながら、テストデータである複数の単位データをテスト記録領域に記録する。そして、光ディスク記録装置は、テストデータを再生して、再生信号品質が最も良くなるように記録パワーを最適記録パワーに決定する。また、光ディスク記録装置は、最適記録パワーの最長マークの戻り光における安定域の戻り光量をランニングＯＰＣ時の目標値として保持する。これは、マークを形成するとき、レーザ照射開始当初は未だマークが形成されていないので反射光レベルが高くなり、その後、マークが形成されていくに従い反射光レベルが下がりやがて安定するが、この戻り光の安定域は最長マークが一番長いためである。光ディスク記録装置は、データ記録中にはランニングＯＰＣを行って、最長マークの戻り光レベルを確認して記録パワーをこの最適記録パワーに調整しながらデータを記録している。なお、単位データとは、ＳＹＮＣ（同期パターン）とフレームデータとからなるフレームのことである。
【０００３】
ＣＤ−ＲやＣＤ−ＲＷといったＣＤ系の記録型光ディスクの場合、記録データに使用するマーク長は３Ｔ〜１１Ｔであり、ＳＹＮＣには最長マークである１１Ｔマークのパターンを必ず含むように規定されている。そのため、フレームデータ中に１１Ｔのマークが含まれていない場合でもＳＹＮＣに含まれている１１Ｔマークを検出することで、ランニングＯＰＣの目標値を必ず保持することができる。
【０００４】
また、従来、適正な記録パワーで光ディスクにデータを記録するために、１１Ｔマーク（ピット）の戻り光パワーのピーク値ＨＳと、その後の安定値ＨＬと、の比ＨＬ／ＨＳを求めて、この値が設定値と一致するように記録パワーを制御する光ディスクの記録方法およびその装置が提案されている（例えば、特許文献１参照。）。
【特許文献１】特開平７−５７２６８号公報（第３−４頁、第１−６図）
【発明の開示】
【発明が解決しようとする課題】
【０００５】
ＤＶＤ−Ｒ，ＤＶＤ＋Ｒ，ＤＶＤ−ＲＷ，ＤＶＤ＋ＲＷ，ＤＶＤ−ＲＡＭといったＤＶＤ系の記録型光ディスクでは、記録データに使用するマーク長は３Ｔ〜１１Ｔであり、ＳＹＮＣ（同期パターン）に１４Ｔマークまたは１４Ｔスペースのいずれかが含まれるように規定されている。すなわち、ＳＹＮＣコードには、１４Ｔマーク−４Ｔスペースのパターンを含む場合と、１４Ｔスペース−４Ｔマークのパターンを含む場合と、がある。このように１４Ｔマークまたは１４ＴスペースをＳＹＮＣコードに配置することにより、１１Ｔが１２Ｔにエッジシフトしたり１４Ｔが１３Ｔにエッジシフトしたりしても、ＳＹＮＣコードを区別して同期を確実にとることができる。
【０００６】
光ディスク記録装置は、ＤＶＤ系の記録型光ディスクに対してＯＰＣを行う場合、テスト記録したデータを再生して、再生信号から最適記録パワーを決定する。そして、ＳＹＮＣ（同期パターン）に含まれる１４Ｔマークに対して照射したレーザ光の戻り光レベルをランニングＯＰＣ時の目標値として保持する。しかしながら、光ディスク記録装置では、変調されたデータの累積ＤＳＶの絶対値が最小になるようにコードワード（データ）とＳＹＮＣコードとを選択する。また、光ディスク記録装置は、ＮＲＺＩ（Non Return to Zero Invert)変換を行うため、直前のデータがマークで終了するかスペースで終了するかに応じてＳＹＮＣコードが選択される。そのため、光ディスクに記録するデータによっては、ある記録パワーのときに記録したテストデータの各再生データのＳＹＮＣコードに１４Ｔマークが全く含まれないことがあった。
【０００７】
そこで、本願発明者は、ＯＰＣを行う際のテストデータ長と１４Ｔマークの有無について確認を行った。その結果、各記録パワーでのテストデータ長が２セクタ（＝５２シンクフレーム）の場合は、１４Ｔマークは各記録パワーのテストデータに含まれていた。各記録パワーでのテストデータ長が１６シンクフレームの場合は、１４Ｔマークは各記録パワーのテストデータに含まれていたが、ある記録パワーのときに１４Ｔマークが含まれないことが稀にあった。各記録パワーでのテストデータ長が８シンクフレームの場合は、各記録パワーのテストデータに１４Ｔマークが含まれてないことが時々発生した。各記録パワーでのテストデータ長が４シンクフレームの場合は、各記録パワーのテストデータに１４Ｔマークが含まれてないことが頻発した。各記録パワーでのテストデータ長が２シンクフレームの場合は、各記録パワーのテストデータに１４Ｔマークが含まれてないことがテストデータ長が４シンクフレームの場合よりも頻発した。このように、テストデータが短くなるほど１４Ｔマークがテストデータ中に含まれていない確率が高くなり、ある記録パワーのときだけでなく、場合によっては光ディスクに記録したテストデータ中に１４Ｔマークが全く含まれていないこともあった。
【０００８】
上述のように、記録データに使用するマーク長は３Ｔ〜１１Ｔであるため、ＳＹＮＣパターンに１４Ｔマークパターンが含まれない場合は、フレームデータには１４Ｔのマークが全く含まれていない。
【０００９】
以上のような理由により、ＯＰＣを行ってテストデータを再生して再生信号に基づいて最適記録パワーを決定した際に、この記録パワーにおける最長マーク（１４Ｔ）の戻り光レベルをランニングＯＰＣ時の目標値として保持することができないことがあった。そのため、このような場合には、光ディスク記録装置は、ＤＶＤ系の記録型光ディスクに対してランニングＯＰＣを行うことができず、最適記録パワーでデータを記録できないという問題があった。
【００１０】
そこで、本発明は、ＤＶＤ系の記録型光ディスクに対してランニングＯＰＣの目標値をＯＰＣ記録時に確実に取得することができる光ディスク記録装置を提供することを目的とする。
【課題を解決するための手段】
【００１１】
この発明は、上記の課題を解決するための手段として、以下の構成を備えている。
【００１２】
（１）ＯＰＣ記録時に、マークパターン長及びスペースパターン長を離散的にランダムに変化させたランダムパターンに所定の間隔で同期パターンを挿入したテストデータを、記録パワーを複数段階に切り替えて光ディスクに記録する光ディスク記録装置において、
記録パワーを切り替える毎に、前記テストデータに挿入する同期パターンの少なくとも１つを、最長マークパターンを含む同期パターンに設定する同期パターン設定手段を備えたことを特徴とする。
【００１３】
光ディスク記録装置はデータを記録する前にＯＰＣを行って最適記録パワーを設定し、この最適記録パワーにおける最長マークパターンの戻り光レベルをランニングＯＰＣの目標値として保持する。しかし、ＯＰＣ記録時のテストデータに最長マークパターンが含まれないことがあり、この場合、ランニングＯＰＣの目標値を保持できず、ランニングＯＰＣの際に目標値を参照できないために最適記録パワーでデータを記録できなくなる。この構成においては、光ディスク記録装置は、ＯＰＣ記録時に、記録パワーを切り替える毎に少なくとも１つの最長マークパターンを含むテストデータを光ディスクに記録するので、最適記録パワーを設定するためにテストデータを再生すると、どの記録パワーにおいても最長マークパターンが少なくとも１つは含まれているので、ランニングＯＰＣの目標値を確実に保持することができる。したがって、データ記録時にランニングＯＰＣを行って、常に最適記録パワーでデータを記録できる。
【００１４】
（２）ＯＰＣ記録時に、所定のタイミングでパワー切り替え信号を出力する制御手段と、
前記パワー切り替え信号を検出すると、最長マークパターンを含む同期パターンを少なくとも１つ出力する同期パターン設定手段と、
マークパターン長及びスペースパターン長を離散的にランダムに変化させたランダムパターンに、前記同期パターン出力手段が出力した同期パターンを所定の間隔で挿入したテストデータを出力するデータ出力手段と、
記録パワーを複数段階に切り替えて前記テストデータを光ディスクに記録する記録手段と、
を備えたことを特徴とする。
【００１５】
この構成においては、ＯＰＣ記録時に、制御手段がパワー切り替え信号を出力して記録パワーを切り替える毎に、最長マークを含む同期パターンを少なくとも１つ含むテストデータが光ディスクに記録される。したがって、最適記録パワーを設定した際に最長マークの戻り光レベルをランニングＯＰＣの目標値として保持することができるとともに、ランニングＯＰＣを問題なく実行することができる。
【００１６】
（３）ＯＰＣ記録時に、マークパターン長及びスペースパターン長を離散的にランダムに変化させたランダムパターンに所定の間隔で同期パターンを挿入したテストデータを光ディスクに記録する光ディスク記録方法において、
記録パワーを切り替える毎に、少なくとも１つの最長マークパターンを含むテストデータを光ディスクに記録することを特徴とする。
【００１７】
この構成においては、ＯＰＣ記録時に、記録パワーを切り替える毎に少なくとも１つの最長マークを含むテストデータを光ディスクに記録するので、最適記録パワーを設定するためにテストデータを再生すると、どの記録パワーにおいても最長マークが少なくとも１つ含まれている。したがって、ランニングＯＰＣの目標値を確実に保持することができ、データ記録時にランニングＯＰＣを行って常に最適記録パワーでデータを記録できる。
【発明の効果】
【００１８】
本発明によれば、ＯＰＣ記録時に記録パワーを切り替える毎に、少なくとも１つの最長マークを含むテストデータを光ディスクに記録するので、最適記録パワーを設定する際にテストデータを再生すると、どの記録パワーにおいても最長マークが少なくとも１つは含まれており、ランニングＯＰＣの目標値である最適記録パワーにおける最長マークの戻り光レベルを確実に設定することができる。
【発明を実施するための最良の形態】
【００１９】
本発明は、ＤＶＤ系の記録型光ディスクであるＤＶＤ−Ｒ，ＤＶＤ＋Ｒ，ＤＶＤ−ＲＷ，ＤＶＤ＋ＲＷ，ＤＶＤ−ＲＡＭに適用できるが、以下の説明では、ＤＶＤ＋ＲＷを例に挙げて説明する。図１は、本発明の実施形態に係る光ディスク記録装置の概略構成を示したブロック図である。図１に示すように、光ディスク記録装置１は、フィードモータ８、ガイドレール９、光ピックアップ１０、スピンドルモータ１１、ＲＦアンプ１２、サーボ回路１３、アドレス検出回路１４、デコーダ１５、制御部１６、エンコーダ１７、ストラテジ回路１８、レーザドライバ１９、レーザパワー制御回路２０、周波数発生器２１、再生信号品位検出回路２４、記憶部２５、及び操作部２６を備えている。また、光ディスク記録装置１は、ホストコンピュータ５に接続されている。
【００２０】
フィードモータ８は、光ピックアップ１０を光ディスクの半径方向に移動させるための駆動力を供給するモータである。ガイドレール９は、光ピックアップ１０が光ディスクの半径方向に移動するように、光ピックアップ１０を支持する。
【００２１】
光ピックアップ１０は、図外のレーザダイオード、レンズ及びミラーなどの光学系、戻り光（反射光）受光素子、フォーカスサーボ・トラッキングサーボ・チルトサーボの各サーボ機構などを備えている。また、光ピックアップ１０は、データの記録及び再生時には光ディスク（ＤＶＤ＋ＲＷ）Ｄに対してレーザ光を照射して、光ディスクＤからの戻り光を受光して受光信号をＲＦアンプ１２に出力する。なお、受光信号は、８／１６変調（ＥＦＭｐｌｕｓ）されたＲＦ信号である。また、光ピックアップ１０は、モニタダイオードを備えており、レーザ光を照射するとモニタダイオードに電流が生じ、この電流がレーザパワー制御回路２０へ供給されるようになっている。
【００２２】
スピンドルモータ１１は、データを記録するメディアである光ディスクＤを回転駆動するモータである。また、スピンドルモータ１１の回転軸先端部には、光ディスクを保持
（チャッキング）するためのターンテーブルなどからなる図外の光ディスク保持機構が設けられている。周波数発生器２１は、スピンドルモータ１１が出力した光ディスクＤの相対位置信号を検出して、光ディスクＤの回転角度や回転数を検出するための信号をサーボ回路１３に出力する。
【００２３】
ＲＦアンプ１２は、光ピックアップ１０から出力される８／１６変調されたＲＦ信号を増幅して、増幅後のＲＦ信号をサーボ回路１３、アドレス検出回路１４、記録品位検出回路２４、及びデコーダ１５に出力する。
【００２４】
デコーダ１５は、ＲＦアンプ１２から供給される８／１６変調されたＲＦ信号を８／１６復調して再生データを生成し、ホストコンピュータ５及び制御部１６へ出力する。
【００２５】
アドレス検出回路１４は、ＲＦアンプ１２から供給されたＲＦ信号からウォブル信号成分を抽出し、各信号成分に含まれる時間情報（アドレス情報）など各種の情報を復号し、制御部１６に出力する。
【００２６】
再生信号品位検出回路２４は、光ディスクＤのテスト記録領域を再生しているときに、ＲＦアンプ１２から供給されるＲＦ信号から再生信号品位に関するパラメータであるβやγを算出し、算出結果を制御部１６に出力する。
【００２７】
サーボ回路１３は、スピンドルモータ１１の回転制御、光ピックアップ１０のフォーカス制御・トラッキング制御・チルト制御、及びフィードモータ８による光ピックアップ１０の送り制御を行う。
【００２８】
エンコーダ１７は、ホストコンピュータ５から出力された記録データや制御部１６から出力されたランダムパターンデータを８／１６変調し、ストラテジ回路１８へ出力する。
【００２９】
ストラテジ回路１８は、エンコーダ１７から出力されたＲＦ信号に対して時間軸補正処理などを行いレーザドライバ１９へ出力する。
【００３０】
レーザドライバ１９は、記録時にはストラテジ回路１８から供給される記録データに応じて変調された信号と、レーザパワー制御回路２０の制御信号と、に従って光ピックアップ１０のレーザダイオードを駆動する。また、レーザドライバ１９は、再生時には光ピックアップ１０のレーザダイオードを所定の再生パワーで駆動する。
【００３１】
レーザパワー制御回路２０は、光ピックアップ１０のレーザダイオードから照射されるレーザ光のパワーを制御する。具体的には、レーザパワー制御回路２０は、光ピックアップ１０のモニタダイオードから出力される電流値と、制御部１６から送信される最適なレーザパワーの目標値を示す情報と、に基づいて、最適なレーザパワーのレーザ光が光ピックアップ１０から照射されるように、レーザドライバ１９を制御する。
【００３２】
制御部１６は、図示していないＣＰＵ、ＲＯＭ、及びＲＡＭ等から構成されており、ＲＯＭに格納されたプログラムに従って光ディスク記録装置１の各部を制御する。制御部１６は、上述したようにデータの本記録に先立ち、光ディスク記録装置１にセットされた光ディスクＤの所定の領域に対し、テスト記録を行うように装置の各部を制御する。また、制御部１６は、ＯＰＣを行う際にはエンコーダ１７やレーザパワー制御回路２０へＯＰＣライト信号やＯＰＣ記録パワー切り替えタイミング信号を出力する。
【００３３】
記憶部２５は、実験などを行って予め求めたデータや、光ディスク記録装置１のファームウェアなどを記憶する。操作部２６は、ユーザが行った光ディスク記録装置１の各種制御や操作を受け付ける。
【００３４】
次に、エンコーダ１７の構成について説明する。図２は、エンコーダの概略構成を示したブロック図である。図２に示すようにエンコーダ１７は、データ変換部３１、ＳＹＮＣコード生成部３２、切り替えスイッチ３３、ＳＹＮＣパターン選択部３４、ＤＣＣ部３５、ＮＲＺ変換部３６を備えている。
【００３５】
データ変換部３１は、ホストコンピュータ５及び制御部１６から出力されたデータを８／１６変換して、１つのデータシンボルに対してメインとサブの２つのコードワードを生成して切り替えスイッチ３３へ出力する。なお、コードワードは、３Ｔ〜１１Ｔのマーク及びスペースから成る信号である。
【００３６】
ＳＹＮＣコード生成部３２は、１４Ｔマーク及び４Ｔスペースのパターンを含むＳＹＮＣコード（以下、１４Ｔマーク−４Ｔスペースパターンと称する。）、並びに１４Ｔスペース及び４Ｔマークのパターンを含むＳＹＮＣコード（以下、１４Ｔスペース−４Ｔマークパターンと称する。）を生成して出力する（図３（Ｃ）を参照）。また、ＳＹＮＣコード生成部３２は、出力端子３２ａから１４Ｔマーク−４Ｔスペースパターンを出力し、出力端子３２ｂから１４Ｔスペース−４Ｔマークパターンを出力する。
【００３７】
切り替えスイッチ３３は、ＳＹＮＣパターン選択部３４から出力された信号に応じてＳＹＮＣコード生成部３２から出力されたＳＹＮＣコードを選択してＤＣＣ部３５へ出力する。
【００３８】
ＳＹＮＣパターン選択部３４は、ＤＣＣ部３５から出力されたスイッチ選択信号を検出すると、切り替えスイッチ３３を切り替える。また、ＳＹＮＣパターン選択部３４は、制御部１６から出力されたＯＰＣライト信号を検出すると、ＤＣＣ部３５から出力されたＳＷ選択信号にかかわらず、１４Ｔマーク−４Ｔスペースパターンを出力するように切り替えスイッチを切り替える。さらに、ＳＹＮＣパターン選択部３４は、制御部１６から出力されたＯＰＣ記録パワー切り替えタイミング信号を検出すると所定のタイミングで、１４Ｔマーク−４Ｔスペースパターンを出力するように切り替えスイッチを切り替える。
【００３９】
ＤＣＣ（DC Component suppress control)部３５は、光ディスクに記録される変調データの累積ＤＳＶ（Digital Sum Value)を演算する。そして、変調データの累積ＤＳＶの絶対値が最小になるように、データ変換部３１から出力されたメインとサブのコードワードの一方を選択するとともに、ＳＹＮＣパターン選択部３４へ信号を出力してＳＹＮＣコードを選択して、コードワード及びＳＹＮＣコードのデータをＮＲＺ変換部３６へ出力する。
【００４０】
ＮＲＺ変換部３６は、ＤＣＣ部３５から送られてきたデータをＮＲＺ（Non Return to Zero：非ゼロ復帰記録方式）変換して、ストラテジ回路１８へ出力する。
【００４１】
次に、光ディスク記録装置１におけるＤＶＤ系の記録型光ディスクＤへのデータ記録時の動作を説明する。図３（Ａ）はＯＰＣの記録パワーを示した図、図３（Ｂ）はテストデータの一例を示した図、及び図３（Ｃ）はＳＹＮＣコードを表す図である。光ディスク記録装置１は、ＯＰＣを行う際には、光ディスクへ試し書きデータを記録する試し書き工程、試し書きデータを再生して再生信号品位の測定を行う再生測定工程、及び再生信号品位の測定結果に基づいて最適記録パワーを設定する最適記録パワー設定工程を順に行う。
【００４２】
光ディスク記録装置１の制御部１６は、試し書き工程において、ＯＰＣ記録実行期間中にＯＰＣライト信号を出力し、一定時間ｔ毎にＯＰＣ記録パワー切り替えタイミング信号を出力する。データ変換部３１は、ＯＰＣライト信号を検出している間には、ホストコンピュータ５から受け取ったテストデータをコードワードに変換して出力する。レーザパワー制御回路２０は、ＯＰＣ記録パワー切り替えタイミング信号を検出すると、レーザドライバ１９を介して光ピックアップ１０から照射するレーザの記録パワーを所定量アップする。つまり、光ディスク記録装置１は、ＯＰＣ記録パワー切り替えタイミング信号が出力されてから次のＯＰＣ記録パワー切り替えタイミング信号が出力されるまでの間は同じ記録パワーで光ディスクにテストデータを記録する。光ディスク記録装置１は、この処理を一定時間ｔ毎に繰り返すので、光ディスクＤのテスト記録領域には図３（Ａ）に示すように記録パワーを階段状に切り替えてデータが記録される。また、光ディスク記録装置１は、試し書き工程では、図３（Ｂ）に示すようなテストデータを光ディスクに記録する。すなわち、光ディスク記録装置１は、ＳＹＮＣ（同期パターン）と、マークパターン長及びスペースパターン長を離散的にランダムに変化させたランダムパターンのテストデータであるフレームデータと、から成る単位データ（フレーム）を一定時間ｔ内にｎ個記録する。
【００４３】
また、本発明の光ディスク記録装置１は、同じ記録パワーで光ディスクに記録するｎ個の単位データのうち少なくとも１つの単位データについては、ＳＹＮＣが図３（Ｃ）に表したＳＹＮＣコードのうちの１４Ｔマーク−４ＴスペースパターンになるようにＳＹＮＣパターン選択部３４を制御する。具体的には、制御部１６が出力するＯＰＣ記録パワー切り替えタイミング信号を、レーザパワー制御回路２０だけでなくＳＹＮＣパターン選択部３４にも入力されるように構成する。そして、ＳＹＮＣパターン選択部３４は、制御部１６から出力されたＯＰＣ記録パワー切り替えタイミング信号を検出した際には、ＳＹＮＣコード生成部３２から出力された１４Ｔマーク−４Ｔスペースパターンが所定のタイミングでＤＣＣ部３５へ出力されるように、切り替えスイッチ３３へ切り替え信号を出力する。
【００４４】
これにより、光ディスク記録装置１では、制御部１６がＯＰＣ記録パワー切り替えタイミング信号を出力する毎に、例えば最初の単位データのＳＹＮＣに１４Ｔマークを含むテストデータ（ＳＹＮＣコード）が記録されることになる。したがって、パラメータ設定工程において最適記録パワーを決定した際に、確実に１４Ｔマークを保持することができ、本データ記録時にランニングＯＰＣを問題なく行うことができる。
【００４５】
ここで、試し書き工程ではＤＣＣ部３５は、変調データの累積ＤＳＶの絶対値が最小になるように、データ変換部３１から出力されたメインとサブのコードワードの一方を選択して、１４Ｔマーク−４ＴスペースパターンのＳＹＮＣコード及び選択したコードワードのデータをＮＲＺ変換部３６へ出力する。このデータはＮＲＺ変換部３６でＮＲＺ変換され、さらにストラテジ回路１８でストラテジ変換されて、レーザドライバ１９へ送られ、光ピックアップ１０からこのデータに応じたレーザ光が光ディスクＤに照射されて、光ディスクに試し書きデータが記録される。
【００４６】
また、光ディスク記録装置１では、同じ記録パワーのときに記録する各単位データのいずれに１４Ｔマーク−４Ｔスペースパターンを存在させるかを、操作部２６を予め操作しておくことで任意に設定できる。例えば、３つ目の単位データのＳＹＮＣコードが１４Ｔマーク−４Ｔスペースパターンとなるように、ＳＹＮＣパターン選択部３４がＯＰＣ記録パワー切り替えタイミング信号を検出してから切り替えスイッチ３３へ信号を出力するタイミングを遅らせることができる。
【００４７】
さらに、光ディスク記録装置１では、ＳＹＮＣパターン選択部３４がＯＰＣ記録パワー切り替えタイミング信号を検出したときには、切り替えスイッチ３３へ所定のタイミングで信号を複数回出力するように設定できる。これにより、記録パワー毎に１４Ｔマークを複数個含んでいるので、最適記録パワーがどの記録パワーになったとしても、ランニングＯＰＣの目標値を問題なく設定することができる。
【００４８】
加えて、光ディスク記録装置１では、ＯＰＣのテストデータにおける各単位データのＳＹＮＣパターンが全て１４Ｔマーク−４Ｔスペースパターンになるように設定することができる。この場合、光ディスク記録装置１に対して以下のように設定すると良い。まず、ＯＰＣを開始する際に、制御部１６がＳＹＮＣパターン選択部３４へ、ＯＰＣ記録パワー切り替えタイミング信号に替えてＯＰＣライト信号を出力するように設定する。ＯＰＣライト信号は、ＯＰＣ記録を実行している期間を示す信号であるから、ＳＹＮＣパターン選択部３４がこのＯＰＣライト信号を検出すると、ＳＹＮＣコード生成部３２から出力された１４Ｔマーク−４ＴスペースパターンのＳＹＮＣコードがＤＣＣ３３へ出力されるように、切り替えスイッチ３３へ切り替え信号を出力するように設定する。これにより、ＯＰＣの際には、常にＳＹＮＣに１４Ｔマークが含まれるので、問題なくランニングＯＰＣの目標値を問題なく設定することができる。
【００４９】
なお、上記のようにＳＹＮＣコードが１４Ｔマーク−４Ｔスペースパターンとなるように設定した場合でも、ＤＣＣ部３５では変調データの累積ＤＳＶの絶対値が最小になるように、データ変換部３１から出力されたメインとサブのコードワードの一方を選択するので、変調データの累積ＤＳＶの絶対値が大きくなって低周波成分が増大するといった問題は発生しない。
【００５０】
次に、光ディスク記録装置１でＯＰＣを行う際のエンコーダ１７の各部の動作について、フローチャートに基づいて説明する。図４は、光ディスク記録装置のＯＰＣ動作を説明するためのフローチャートである。
【００５１】
光ディスク記録装置１においてＯＰＣが開始されると、制御部１６はユーザの設定に応じた信号を出力する。すなわち、テストデータのＳＹＮＣコードが全て１４Ｔマーク−４Ｔスペースパターンとなるようにユーザが設定した場合には、制御部１６はＯＰＣ記録パワー切り替えタイミング信号をレーザパワー制御回路２０へ出力するとともに、ＯＰＣライト信号をエンコーダ１７のＳＹＮＣパターン選択部３４へ出力する。また、テストデータのＳＹＮＣコードの１つまたは複数（全てを除く）が１４Ｔマーク−４Ｔスペースパターンとなるようにユーザが設定した場合には、制御部１６はＯＰＣ記録パワー切り替えタイミング信号をレーザパワー制御回路２０及びエンコーダ１７のＳＹＮＣパターン選択部３４へ出力する（ｓ１）。
【００５２】
エンコーダ１７のＳＹＮＣパターン選択部３４は、ＯＰＣライト信号を検出した場合には（ｓ２）、ＳＹＮＣコード生成部３２から出力される１４Ｔマーク−４Ｔスペースパターンが常にＤＣＣ部３５へ出力されるように、切り替えスイッチ３３がＳＹＮＣコード生成部３２の出力端子３２ａ側へ接続されるように信号を出力する（ｓ３）。ＤＣＣ部３５は、変調データの累積ＤＳＶの絶対値が最小になるように、データ変換部３１から出力されたメインとサブのコードワードの一方を選択する（ｓ４）。そして、ＤＣＣ部３５は、１４Ｔマーク−４ＴスペースパターンのＳＹＮＣコード及び選択したコードワードのデータをＮＲＺ変換部３６へ出力し、ＮＲＺ変換部３６はＮＲＺ変換してストラテジ回路１８へ出力する（ｓ５）。ＳＹＮＣパターン選択部３４は、ＯＰＣライト信号を引き続き検出した場合には（ｓ６）、ステップｓ３へ戻り、このステップ以降の処理を続ける。一方、ＳＹＮＣパターン選択部３４は、制御部１６がＯＰＣの試し書き工程を終了してＯＰＣライト信号の出力を停止したためにＯＰＣライト信号を検出しなくなった場合には（ｓ６）、処理を終了する。
【００５３】
また、ＳＹＮＣパターン選択部３４は、ＯＰＣ記録パワー切り替えタイミング信号を検出した場合には（ｓ２，ｓ７）、例えば、１つ目の単位データのＳＹＮＣコードが１４Ｔマーク−４Ｔスペースパターンとなるように、切り替えスイッチ３３がＳＹＮＣコード生成部３２の出力端子３２ａ側に接続されるように信号を出力する（ｓ８）。なお、ＳＹＮＣパターン選択部３４は、２つ目または３つ目など他の単位データのＳＹＮＣコードを対象として信号を出力するように設定しても良い。
【００５４】
また、ＳＹＮＣパターン選択部３４は、ステップｓ７において、ＯＰＣ記録パワー切り替えタイミング信号を検出していない場合には、ＤＣＣ部３５が出力した信号に応じて切り替えスイッチ３３を切り替えて、１４Ｔマーク−４Ｔスペースパターンまたは１４Ｔスペース−４ＴマークパターンのいずれかのＳＹＮＣパターンを出力させる（ｓ９）。
【００５５】
ステップｓ８またはｓ９の処理が完了すると、ＤＣＣ部３５は、変調データの累積ＤＳＶの絶対値が最小になるように、データ変換部３１から出力されたメインとサブのコードワードの一方を選択する（ｓ１０）。そして、ＤＣＣ部３５は、１４Ｔマーク−４ＴスペースパターンのＳＹＮＣコード及び選択したコードワードのデータをＮＲＺ変換部３６へ出力し、ＮＲＺ変換部３６はＮＲＺ変換してストラテジ回路１８へ出力する（ｓ１１）。
【００５６】
ＳＹＮＣパターン選択部３４は、ステップｓ１１の処理が終了すると、データ変換部３１へＯＰＣライト信号が継続して出力されているか否かを判断し、この信号が継続していればステップｓ７へ戻り、このステップ以降の処理を行う。一方、ＳＹＮＣパターン選択部３４は、ＯＰＣライト信号が停止していれば（ｓ１２）、処理を終了する。
【００５７】
以上のように、光ディスク記録装置１は、記録パワーを切り替える毎に１４Ｔマークを少なくとも１つは記録するので、再生測定工程でテストデータを再生して、最適記録パワー設定工程で最適記録パワーを決定した際に、このパワーにおける１４Ｔマークの戻り光レベルを必ず保持することができる。したがって、ランニングＯＰＣの目標値を確実に設定することができる。
【図面の簡単な説明】
【００５８】
【図１】本発明の実施形態に係る光ディスク記録装置の概略構成を示したブロック図である。
【図２】エンコーダの概略構成を示したブロック図である。
【図３】ＯＰＣの記録パワーを示した図及びテストデータの一例を示した図である。
【図４】光ディスク記録装置のＯＰＣ動作を説明するためのフローチャートである。
【符号の説明】
【００５９】
１−光ディスク記録装置、１７−エンコーダ、３１−データ変換部、
３２−ＳＹＮＣコード生成部、３３−切り替えスイッチ、
３４−ＳＹＮＣパターン選択部、３５−ＤＣＣ部、３６−ＮＲＺ変換部
【図１】
2005141854.tif 000003
【図２】
2005141854.tif 000004
【図３】
2005141854.tif 000005
【図４】
2005141854.tif 000006
【手続補正書】
【提出日】平成16年10月7日(2004.10.7)
【手続補正１】
【補正対象書類名】特許請求の範囲
【補正対象項目名】全文
【補正方法】変更
【補正の内容】
【特許請求の範囲】
【請求項１】
ＯＰＣ記録時に、マークパターン長及びスペースパターン長を離散的に常にランダムに変化させたランダムパターンに所定の間隔で同期パターンを挿入したテストデータを、記録パワーを複数段階に切り替えて光ディスクに記録する光ディスク記録装置において、
記録パワーを切り替える毎に、該記録パワーで記録される前記テストデータに挿入する同期パターンの少なくとも１つは、必ず最長マークパターンを含む同期パターンに設定する同期パターン設定手段を備えたことを特徴とする光ディスク記録装置。
【請求項２】
ＯＰＣ記録時に、所定のタイミングでパワー切り替え信号を出力する制御手段と、
前記パワー切り替え信号を検出すると、最長マークパターンを含む同期パターンを少なくとも１つ出力する同期パターン設定手段と、
マークパターン長及びスペースパターン長を離散的にランダムに変化させたランダムパターンに、前記同期パターン出力手段が出力した同期パターンを所定の間隔で挿入したテストデータを出力するデータ出力手段と、
記録パワーを複数段階に切り替えて前記テストデータを光ディスクに記録する記録手段と、
を備えた光ディスク記録装置。
【請求項３】
前記同期パターン設定手段は、前記パワー切り替え信号を検出すると、同期パターンの所定番目に最長マークパターンを出力することを特徴とする請求項２に記載の光ディスク装置。
【請求項４】
ＯＰＣ記録時に、マークパターン長及びスペースパターン長を離散的にランダムに変化させたランダムパターンに所定の間隔で同期パターンを挿入したテストデータを光ディスクに記録する光ディスク記録方法において、
記録パワーを切り替える毎に、少なくとも１つの最長マークパターンを含むテストデータを光ディスクに記録することを特徴とする光ディスク記録方法。
【手続補正２】
【補正対象書類名】明細書
【補正対象項目名】００１２
【補正方法】変更
【補正の内容】
【００１２】
（１）ＯＰＣ記録時に、マークパターン長及びスペースパターン長を離散的に常にランダムに変化させたランダムパターンに所定の間隔で同期パターンを挿入したテストデータを、記録パワーを複数段階に切り替えて光ディスクに記録する光ディスク記録装置において、
記録パワーを切り替える毎に、該記録パワーで記録される前記テストデータに挿入する同期パターンの少なくとも１つは、必ず最長マークパターンを含む同期パターンに設定する同期パターン設定手段を備えたことを特徴とする。
【手続補正３】
【補正対象書類名】明細書
【補正対象項目名】００１５
【補正方法】変更
【補正の内容】
【００１５】
この構成においては、ＯＰＣ記録時に、制御手段がパワー切り替え信号を出力して記録パワーを切り替える毎に、最長マークを含む同期パターンを少なくとも１つ含むテストデータが光ディスクに記録される。したがって、最適記録パワーを設定した際に最長マークの戻り光レベルをランニングＯＰＣの目標値として保持することができるとともに、ランニングＯＰＣを問題なく実行することができる。
（３）前記同期パターン設定手段は、前記パワー切り替え信号を検出すると、同期パターンの所定番目に最長マークパターンを出力することを特徴とする。
【手続補正４】
【補正対象書類名】明細書
【補正対象項目名】００１６
【補正方法】変更
【補正の内容】
【００１６】
（４）ＯＰＣ記録時に、マークパターン長及びスペースパターン長を離散的にランダムに変化させたランダムパターンに所定の間隔で同期パターンを挿入したテストデータを光ディスクに記録する光ディスク記録方法において、
記録パワーを切り替える毎に、少なくとも１つの最長マークパターンを含むテストデータを光ディスクに記録することを特徴とする。